【手続補正書】
【提出日】平成16年9月2日(2004.9.2)
【手続補正１】
【補正対象書類名】特許請求の範囲
【補正対象項目名】全文
【補正方法】変更
【補正の内容】
【特許請求の範囲】
【請求項１】
情報記録媒体の記録条件設定方法であって、
情報記録に使用される変調符号における最短マークより１記録長単位だけ長い第１テストマークを複数の記録条件で記録し、該記録された第１テストマークを再生して得られた複数の再生信号に基づいて第１の記録条件を選定し、
最短マーク長より２記録単位長以上長くかつ最長マーク以下の長さを有するマークから選定される１つ以上の第２テストマークを複数の記録条件で記録し、該記録された第２テストマークを再生して得られた複数の再生信号に基づいて第２の記録条件を選定し、
前記第１及び第２の記録条件に基づいて、前記最短マークの記録条件を求めることを特徴とする情報記録媒体の記録条件設定方法。
【請求項２】
前記最短マークの再生振幅が、最長マークの再生振幅の１０％以下である、請求項１に記載の情報記録媒体の記録条件設定方法。
【請求項３】
前記最短マークの再生信号を含む再生信号のジッタが、１５％以上であることを特徴とする、請求項１又は２に記載の情報記録媒体の記録条件設定方法。
【請求項４】
前記複数の記録条件は、記録レーザのレーザパワー、先頭パルス幅、中間パルス幅、後端パルス幅、及び、後端冷却幅の少なくとも１つを可変として得られる、請求項１から３の何れかに記載の記録条件設定方法。
【請求項５】
前記第１及び第２の記録条件は、前記再生信号のアシンメトリ又はジッタに基づいて選定される、請求項１から４の何れかに記載の記録条件設定方法。
【請求項６】
情報記録媒体の記録条件設定方法であって、
情報記録密度を通常記録時の記録密度よりも低くした複数の記録密度で、少なくとも最短マークを含むテストマークを記録し、
前記記録されたテストマークを再生して、前記複数の記録密度のそれぞれにおいてアシンメトリ又はジッタの絶対値に基づいて良好な再生信号が得られる記録条件を求め、
前記通常記録時の記録密度で記録する少なくとも最短マークの記録条件を、前記複数の記録密度と、前記良好な再生信号が得られた記録条件とに基づいて求めることを特徴とする記録条件設定方法。
【請求項７】
前記複数の記録密度は、通常の情報記録に使用されるチャネルクロックよりも長い周期のチャネルクロック、及び、通常の情報記録に使用される記録媒体の線速度よりも速い線速度の少なくとも一方を採用して得られることを特徴とする、請求項６に記載の記録条件設定方法。
【請求項８】
前記通常記録時の記録密度では、前記最短マークの再生振幅は、最長マークの再生振幅の１０％以下であり、前記通常記録時の記録密度よりも低くした複数の記録密度では、前記最短マークの再生振幅は、最長マークの再生振幅の１０％以上である、請求項６又は７に記載の記録条件設定方法。
【請求項９】
前記最短マークの記録条件は、２次関数の近似によって求められる、請求項６から８の何れかに記載の記録条件設定方法。
【請求項１０】
前記開口数ＮＡは０．６以上０．７以下、光源波長λは３９０ｎｍ以上４１０ｎｍ以下、記録を行う光ディスクの基板厚が０．６ｍｍ、最短マーク長の下限が１４５ｎｍである、請求項１から９の何れかに記載の記録条件設定方法。
【請求項１１】
前記開口数ＮＡは０．７以上０．８５以下、光源波長λは３９０ｎｍ以上４１０ｎｍ以下、記録を行う光ディスクの基板厚が０．１ｍｍ、最短マーク長の下限が１２０ｎｍである、請求項１から１０の何れかに記載の記録条件設定方法。
【請求項１２】
情報記録媒体に光学的に情報を記録する情報記録装置であって、
情報記録媒体に情報を記録する際の記録条件を設定する記録条件設定手段と、
前記記録条件設定手段によって設定された複数の記録条件を採用して、情報記録に使用される変調符号における最短マークより１記録長単位だけ長い第１テストマーク、及び、最短マーク長より２記録単位長以上長くかつ最長マーク以下の長さを有するマークから選定される１つ以上の第２テストマークを、それぞれ情報記録媒体に記録する記録手段と、
前記情報記録媒体から前記第１テストマーク及び第２テストマークを再生し再生信号を生成する再生手段と、
前記第１テストマークの再生信号に基づいて第１の記録条件を、前記第２テストマークの再生信号に基づいて第２の記録条件をそれぞれ選定する信号処理手段とを備え、
前記記録条件設定手段は、前記信号処理手段によって選定された第１の記録条件及び第２の記録条件に基づいて、前記最短マークの記録条件を設定することを特徴とする情報記録装置。
【請求項１３】
情報記録媒体に光学的に情報を記録する情報記録装置であって、
情報記録密度を通常記録時の記録密度よりも低くした複数の記録密度で、少なくとも最短マークを含むテストマークを記録する記録手段と、
前記記録手段によって記録されたテストマークを再生して再生信号を生成する再生手段と、
前記複数の記録密度のそれぞれにおいて、前記再生信号の内からアシンメトリ又はジッタの絶対値に基づいて良好な再生信号が得られる記録条件を求める信号処理手段と、
前記通常記録時の記録密度で記録する少なくとも最短マークの記録条件を、前記複数の記録密度と、前記良好な再生信号が得られた記録条件とに基づいて設定する記録条件設定手段とを備えることを特徴とする情報記録装置。
【請求項１４】
情報記録再生媒体に情報を記録するための記録条件を設定するためのプログラムであって、
前記情報記録媒体又は情報記録再生装置にあらかじめ設定された初期記録条件に基づいて、複数のテスト記録条件を設定するステップと、
前記設定された各テスト記録条件のもとで、情報記録に使用される変調符号における最短マークよりも１記録長単位だけ長い記録マーク（第１テストマーク）と、前記最短マークよりも２記録単位長以上長くかつ最長マーク以下の長さを有するマークから選定される１つ以上の記録マーク（第２テストマーク）とを含むデータを用いて信号を記録するステップと、
前記記録された信号を再生し、該再生された再生信号のアシンメトリ又はジッタを検出するステップと、
前記テスト記録条件のそれぞれについて検出されたアシンメトリ又はジッタの絶対値に基づいて、前記第１テストマーク及び第２テストマークのそれぞれについて１つのテスト記録条件を抽出するステップと、
前記第１テストマークについて得られたテスト記録条件と、前記第２テストマークについて得られたテスト記録条件とに基づいて、最短マークの記録条件を決定するステップとを有することを特徴とするプログラム。
【請求項１５】
情報記録再生媒体に情報を記録するための記録条件を設定するためのプログラムであって、
前記情報記録媒体又は情報記録再生装置にあらかじめ設定された初期記録条件又は修正された記録条件に基づいて、複数のテスト記録条件を選定する第１ステップと、
前記選定されたテスト記録条件のもとで、情報記録に使用される変調符号における最短マークよりも１記録長単位だけ長い記録マーク（第１テストマーク）と、前記最短マークよりも２記録単位長以上長くかつ最長マーク以下の長さを有するマークから選定される１つ以上の記録マーク（第２テストマーク）とを含むデータを用いて信号を記録する第２ステップと、
前記記録された信号を再生し、該再生された再生信号のアシンメトリ又はジッタを検出する第３ステップと、
前記テスト記録条件のそれぞれについて検出されたアシンメトリ又はジッタの絶対値に基づいて各テスト記録条件の良否を判定し、第１テストマーク及び第２テストマークの何れかについて良と判定されたテスト記録条件がないときには第２ステップに戻って前記テスト記録条件の選定をやり直し、第１テストマーク及び第２テストマークの双方について良と判定されたテスト記録条件があるときには次のステップに移行する第４ステップと、
前記第１テストマークについて得られ良と判定されたテスト記録条件と、前記第２テストマークについて得られ良と判定されたテスト記録条件とに基づいて、最短マークの記録条件を決定する第５ステップとを順次に有することを特徴とするプログラム。
【請求項１６】
情報記録再生媒体に情報を記録するための記録条件を設定するためのプログラムであって、
情報記録密度を通常記録時の記録密度よりも低い複数の記録密度に設定するステップと、
前記複数の記録密度のそれぞれについて、前記情報記録媒体又は情報記録再生装置にあらかじめ設定された初期記録条件に基づいて複数のテスト記録条件を選定するステップと、
前記複数の記録密度のそれぞれについて、前記選定された複数のテスト記録条件で、所定の記録単位長を有するマークを含む信号を記録するステップと、
前記複数の記録密度のそれぞれについて、前記記録された信号を再生し、該再生された再生信号のアシンメトリ又はジッタを検出するステップと、
前記複数の記録密度のそれぞれについて、前記テスト記録条件のそれぞれについて検出されたアシンメトリ又はジッタの絶対値に基づいて、前記所定の記録単位長を有するマークについて１つのテスト記録条件を選定するステップと、
前記複数の記録密度と、前記記録密度のそれぞれについて選定されたテスト記録条件とに基づいて、通常記録時の記録密度における、前記所定の記録単位長を有するマークの記録条件を設定するステップとを有することを特徴とするプログラム。
【請求項１７】
情報記録再生媒体に情報を記録するための記録条件を設定するためのプログラムであって、
情報記録密度を通常記録時の記録密度よりも低い所定数の記録密度の内の１つに設定する第１ステップと、
前記情報記録媒体又は情報記録再生装置にあらかじめ設定された初期記録条件又は修正された記録条件に基づいて、複数のテスト記録条件を選定する第２ステップと、
前記選定された複数のテスト記録条件で、所定の記録単位長を有するマークを含む信号を記録する第３ステップと、
前記記録された信号を再生し、該再生された再生信号のアシンメトリ又はジッタを検出する第４ステップと、
前記テスト記録条件のそれぞれについて検出されたアシンメトリ又はジッタの絶対値に基づいて各テスト記録条件の良否を判定し、良と判定されたテスト記録条件がないときには前記第２ステップに戻って前記複数のテスト記録条件の選定をやり直し、良と判定されたテスト記録条件があるときであって、前記所定数の記録密度の全ての選定が終わっていないときには前記第１のステップに戻って別の記録密度を選定し、前記所定数の記録密度の全ての選定が終わっているときには次のステップに移行する第５ステップと、
前記複数の記録密度と、前記記録密度のそれぞれについて選定された記録条件とに基づいて、前記通常記録時の記録密度における、前記所定の記録単位長を有するマークの記録条件を設定する第６ステップとを順次に有することを特徴とするプログラム。
【手続補正２】
【補正対象書類名】明細書
【補正対象項目名】０１０３
【補正方法】変更
【補正の内容】
【０１０３】
ステップＳ６３では、複数の記録密度のそれぞれについて、例えば図１５（ａ）に示すような、２Ｔマークの先頭幅２Ｔｔｏｐが、初期値（０．６Ｔ）から±０．１Ｔの範囲、つまり、０．５Ｔ〜０．７Ｔの範囲内で０．０５Ｔ刻みで変動し、他のパラメータとして、初期値と同じ値が使用される、条件３１〜３５までの５通りの記録条件を有する記録条件テーブルが作成される。また、同図（ｂ）に示すような、３Ｔマークの先頭幅３Ｔｔｏｐが、初期値（０．６Ｔ）から±０．１Ｔの範囲内で０．０５Ｔ刻みで変動し、他のパラメータとして、初期値と同じ値が使用される、条件４１〜４５までの５通りの記録条件を有する記録条件テーブルが作成され、同図（ｃ）に示すような、４Ｔマーク（４Ｔマーク以上）の先頭幅４Ｔｔｏｐが、初期値（０．６Ｔ）から±０．１Ｔの範囲内で０．０５Ｔ刻みで変動し、他のパラメータとして、初期値と同じ値が使用される、条件５１〜５５までの５通りの記録条件を有する記録条件テーブルが作成される。
【手続補正３】
【補正対象書類名】図面
【補正対象項目名】図１５
【補正方法】変更
【補正の内容】
【図１５】
2004146040.tif 000001